(57)【特許請求の範囲】
【請求項１】
錠本体に回動可能に取り付けられ、錠本体の裏面側に突出配置される軸部を有するシャフト部材と、このシャフト部材の前記軸部に固定されてこの軸部から錠本体に平行に直線的に延びて形成されているハンドル側の扉ロックレバーと、前記シャフト部材の前面のハンドル収納凹部に頭部が配置されて上下方向に回動可能に軸支されると共に、ロック部材を裏面側に有しているハンドルと、錠本体に取り付けられ錠本体の裏面側に回動軸が突出配置しているシリンダ錠と、このシリンダ錠の回動軸に固定されているシリンダ錠側のロックレバーとを具備しており、このロックレバーが、前記の回動軸の部分から錠本体に平行に直線的に延びる細長い板状のシリンダ錠側の扉ロックレバーと、前記の回動軸の部分からシリンダ錠側の扉ロックレバーに対して垂直に延びて錠本体側に屈曲し、更にその先端から錠本体に対して平行に延びるハンドルロックレバーとを一体に備えて形成され、前記ハンドルのロック部材が錠本体に形成されている貫通孔を挿通して錠本体の裏面側に配置された状態でこのロック部材に前記ハンドルロックレバーの先端部の錠本体に対して平行に延びる部分が係合可能とされ、前記ハンドルの頭部に前後方向に９０度隔てて係止溝が形成され、この２つの係止溝の何れかに、シャフト部材の貫通孔に前方に付勢された状態で収納されているボールが嵌入して前記ハンドルを水平状の開錠位置あるいは頭部を上にした垂直状の施錠位置に９０度隔てて保持する姿勢保持手段を有し、前記ハンドルが逆Ｔ字状をなし、頭部から延びる板状の直線部の中間位置の裏面側に、前記ロック部材が突出して形成され、前記ハンドルの直線部の端部において左右に水平に延びている板状の把持部の上面に窪みが形成され、前記ハンドルが錠本体に形成されているハンドル収納凹部に錠本体の前面と垂直面を同一にして収納可能であり、前記ハンドル収納凹部に収納されたハンドルの把持部の上側でハンドルの直線部の両側にあたる錠本体の前面位置に、ハンドルを引き上げる際、指を入れて施錠位置のハンドルの把持部を掴み易くするための凹みがハンドル収納凹部に連ねられて形成されていることを特徴とするハンドル錠。
【発明の詳細な説明】
【０００１】
【発明の属する技術分野】
本発明は、ハンドル錠に関し、更に詳しくは自動販売機等に使用するハンドル錠に関するものである。
【０００２】
【従来の技術】
従来、自動販売機等に使用するためのハンドル錠は、シリンダ錠でハンドルの動きを規制しており、通常、ハンドルに取り付けた扉ロックレバーだけで施錠、開錠操作が行なわれるものであった（例えば特開平７−３０５５４３号公報等参照）。
【０００３】
【発明が解決しようとする課題】
従って従来品の場合は、シリンダ錠を開錠すると、ハンドルケース内に収納されていたハンドルが手前側に突出し、その突出したハンドルを操作して扉ロックレバーのロックを解除するものであった。
【０００４】
このように従来品の場合は、シリンダ錠がハンドルの動きを規制するためだけに存在し、扉のロックはハンドル側の扉ロックレバーのみで行なわれていたものである。
従って従来、自動販売機等にあっては、セキュリティを向上し、より一層安全性を高めたハンドル錠の出現が求められていた。
【０００５】
本発明は、従来のこのような実情に鑑みてなされたものである。
従って本発明の技術的課題は、セキュリティを向上し、安全性を高めたハンドル錠を提供することにある。
【０００６】
【課題を解決するための手段】
即ち本発明のハンドル錠は、図１に示されているように、錠本体１に回動可能に取り付けられ、錠本体１の裏面側に突出配置される軸部３ｂを有するシャフト部材３と、このシャフト部材３の前記軸部３ｂに固定されてこの軸部３ｂから錠本体１に平行に直線的に延びて形成されているハンドル７側の扉ロックレバー１４と、前記シャフト部材３の前面のハンドル収納凹部６に頭部７ａが配置されて上下方向に回動可能に軸支されると共に、ロック部材１６を裏面側に有しているハンドル７と、錠本体１に取り付けられ錠本体１の裏面側に回動軸２４が突出配置しているシリンダ錠２２と、このシリンダ錠２２の回動軸２４に固定されているシリンダ錠２２側のロックレバー２５とを具備しており、このロックレバー２５が、前記の回動軸２４の部分から錠本体１に平行に直線的に延びる細長い板状のシリンダ錠２２側の扉ロックレバー２８と、前記の回動軸２４の部分からシリンダ錠２２側の扉ロックレバー２８に対して垂直に延びて錠本体１側に屈曲し、更にその先端から錠本体１に対して平行に延びるハンドルロックレバー２９とを一体に備えて形成され、前記ハンドル７のロック部材１６が錠本体１に形成されている貫通孔１９を挿通して錠本体１の裏面側に配置された状態でこのロック部材１６に前記ハンドルロックレバー２９の先端部の錠本体１に対して平行に延びる部分が係合可能とされ、前記ハンドル７の頭部７ａに前後方向に９０度隔てて係止溝９ａ，９ｂが形成され、この２つの係止溝９ａ，９ｂの何れかに、シャフト部材３の貫通孔１１に前方に付勢された状態で収納されているボール１０が嵌入して前記ハンドル７を水平状の開錠位置あるいは頭部７ａを上にした垂直状の施錠位置に９０度隔てて保持する姿勢保持手段を有し、前記ハンドル７が逆Ｔ字状をなし、頭部７ａから延びる板状の直線部７ｂの中間位置の裏面側に、前記ロック部材１６が突出して形成され、前記ハンドル７の直線部７ｂの端部において左右に水平に延びている板状の把持部７ｃの上面に窪み２０Ｂが形成され、前記ハンドル７が錠本体１に形成されているハンドル収納凹部１７に錠本体１の前面と垂直面を同一にして収納可能であり、前記ハンドル収納凹部１７に収納されたハンドル７の把持部７ｃの上側でハンドル７の直線部７ｂの両側にあたる錠本体１の前面位置に、ハンドル７を引き上げる際、指を入れて施錠位置のハンドル７の把持部７ｃを掴み易くするための凹み２０Ａがハンドル収納凹部１７に連ねられて形成されていることを特徴とする（請求項１）。
【０００７】
この本発明の場合は、ハンドル７を引き上げたとき、水平状態に姿勢を保持できるから、これによれば開錠及び施錠の操作が容易になる、という利点がある。
又本発明の場合は、例えば人差し指と中指をハンドル７の左右の把持部７ｃにかけて引き上げ、引き上げ後、ハンドル７を回動操作できる。従ってこれによれば、ハンドル７を掴み易くなり、施錠、開錠操作を更に容易化できる。
又本発明の場合は、窪み２０Ｂに指先をかけ、ハンドル７を引き上げることができるから、ハンドル７の引き上げ操作を容易化できる。
更に本発明によると、ハンドル７を施錠時において錠本体１の垂直面と面一化でき、又凹み２０Ａに手指を挿し込むことができるから、ハンドル７の引き上げ操作を一層容易化できる。
【０００８】
【発明の実施の形態】
以下、本発明の好適な一実施形態を添付図面に基づいて説明する。
【０００９】
本発明は、図1等に示されるように、扉に固定される錠本体１の上部位置に、シャフト収納凹所２が裏面側に突出するよう形成されており、このシャフト収納凹所２にシャフト部材３が配置されている。シャフト部材３は、錠本体１のシャフト収納凹所２に収納される大径軸部３ａと、錠本体１のシャフト収納凹所２の底部に形成された貫通孔４を挿通して錠本体１の裏面側に突出する小径軸部３ｂからなる。又このシャフト部材３は、錠本体１に対して回動可能に形成されていると共に、錠本体１の裏面に配置する止め輪５で錠本体１から抜け落ちないよう止め付けられている。
【００１０】
錠本体１に装着されたシャフト部材３の前面は、錠本体１の前面と面一であり、この前面にハンドル収納凹部６が形成されている。ハンドル収納凹部６に、ハンドル７の頭部７ａが配置され、ハンドル７は上下方向に回動可能に頭部７ａが支軸８に支持されている。ハンドル７は、ハンドル頭部７ａに形成されている２つの係止溝９ａ，９ｂのいずれかにボール１０が嵌入することにより、開錠位置あるいは施錠位置に保持される。
【００１１】
又シャフト部材３には、ハンドル収納凹部６の底面の中央部から小径軸部３ｂの端面まで貫通する貫通孔１１が形成されており、前記ボール１０はこの孔１１にボール１０と一緒に挿入されている圧縮スプリング１２でハンドル頭部７ａの係止溝９ａ，９ｂに押圧付勢されるよう形成されている。この圧縮スプリング１２が挿入されている貫通孔１１は、小径軸部３ｂ寄りでねじ孔に形成されており、圧縮スプリング１２はこのねじ孔部分に螺着された固定ボルト１３によって圧縮されている。
【００１２】
錠本体１の裏面側に配置するハンドル７側の扉ロックレバー１４は、細長い板状部材で形成されている。又この扉ロックレバー１４は、一端部に形成されている取付孔がシャフト部材３の小径軸部３ｂに挿入され、固定ボルト１３によって、小径軸部３ｂの端部の段部位置に固定され、シャフト部材３の小径軸部３ｂから錠本体１に平行に直線的に延びて形成されている。なお１５は、ワッシャである。
【００１３】
ハンドル７は、逆Ｔ字状をなしており、頭部７ａから延びる板状の直線部７ｂとその直線部７ｂの端部において左右に水平に延びている板状の把持部７ｃとからなる。又このハンドル７は、直線部７ｂの中間位置の裏面側に、ロック部材１６が突出して形成されている。ロック部材１６は、ハンドル７の裏面側に突出する断面逆Ｌ字状のロック片１６ａと、前面から見てロック片１６ａの右側の開放部を閉塞するよう設けられているストッパ片１６ｂとから構成されている。
【００１４】
ハンドル７は、開錠位置では、ボール１０がハンドル頭部７ａの係止溝９ａに嵌入して、錠本体１の前面から手前側に水平に突出する状態に保持される。一方、施錠位置では、ボール１０がハンドル頭部７ａの係止溝９ｂに嵌入して、錠本体１の前面に形成されているハンドル収納凹部１７に収納され、ハンドル７の前面と錠本体１の前面は面一になるよう形成されている。なおシャフト部材３の前面には、ハンドル収納凹部６の下側に施錠位置でハンドル７の一部が配置される切り欠き１８が形成されている。又ハンドル７が施錠位置で錠本体１のハンドル収納凹部１７に収納された際、ハンドル７に設けられているロック部材１６は、錠本体１に形成されている貫通孔１９を挿通して錠本体１の裏面側に突出配置されるよう形成されている。
【００１５】
２０Ａ（図４等参照）は、錠本体１の前面のハンドル収納凹部１７の上側に設けられた凹みである。この凹み２０Ａは、ハンドル７を引き上げる際、指を入れて施錠位置のハンドル７の把持部７ｃを掴み易くするためのものである。又２０Ｂ（図４Ｂ参照）は、ハンドル７の把持部７ｃの上面に形成されている窪みである。この窪み２０Ｂは、施錠位置のハンドル７の把持部７ｃに指先を引っ掛け、ハンドル７を引き起こし易くするために設けられている。
【００１６】
シリンダ錠２２は、錠本体１の下部位置に形成されている取付孔２１に挿入され、錠本体１の裏面側に突出している。シリンダ錠２２は、外周に形成されている段部が取付孔２１の段部で固定され、錠本体１の裏面側に突出している部分の外周に形成されているねじ部にナット２３が螺着されて錠本体１に固定されている。
【００１７】
２５は、ロックレバーである。このロックレバー２５は、錠本体１の裏面側においてシリンダ錠２２から突出している回動軸２４に固定されている。ロックレバー２５は、一端部に形成されている取付孔がシリンダ錠２２の回動軸２４に挿入され、ナット２６によって、回動軸２４の段部位置に固定されている。なお２７は、ワッシャである。
【００１８】
又ロックレバー２５は、シリンダ錠２２の回動軸２４の部分から錠本体１に平行に直線的に延びる細長い板状の扉ロックレバー２８と、シリンダ錠２２の回動軸２４の部分から前記扉ロックレバー２８に対して垂直に延びて錠本体１側に屈曲し、更にその先端から錠本体１に対して平行に延びるハンドルロックレバー２９とを、一体に備えて形成されている。ハンドルロックレバー２９の先端部の錠本体１に対して平行に延びる部分は、ハンドル７のロック部材１６のロック片１６ａに係合可能な係止片２９ａとして形成されている。
【００１９】
以下、本発明のハンドル錠の作用を説明する。
【００２０】
施錠位置（図１、図３及び図４参照）では、ハンドル７側の扉ロックレバー１４と、シリンダ錠２２側の扉ロックレバー２８は、それぞれシャフト部材３の小径軸部３ａ及びシリンダ錠２２の回動軸２４から錠本体１に対して平行に横方向に張り出して、扉をロックする状態にある。一方、ハンドル７は、ボール１０がハンドル頭部７ａの係止溝９ｂに嵌入し、錠本体１のハンドル収納凹部１７に収納されている。
【００２１】
又ハンドル７のロック部材１６は、錠本体１の貫通孔１９を挿通して錠本体１の裏面側に突出配置されている。そしてこのハンドル７のロック部材１６のロック片１６ａには、シリンダ錠２２の回動軸２４から延びているハンドルロックレバー２９の係止片２９ａがロック部材１６のロック片１６ａにおける垂直部の内側に配置されている。これによって、ハンドル７は上方向に回動しようとしても、ロック部材１６がシリンダ錠２２の回動軸２４から延びているハンドルロックレバー２９に係止されて回動を阻止され、その結果ハンドル収納凹部１７に収納された状態が保持されるものである。
【００２２】
次に、ハンドル錠が、扉３１（図７参照）の取付孔に取り付けられ、ハンドル錠が施錠された状態を前提に、本発明品の開錠手順を説明する。
【００２３】
先ずキーをシリンダ錠２２のキー孔３０に差し込み、例えば左に９０°回動させる。すると、シリンダ錠２２の回動軸２４が左に９０°回動され、ロックレバー２５が左に９０°回動する。ロックレバー２５が左に９０°回動されると、扉ロックレバー２８は、垂直下方を向くので扉３１のロックが解除されると共に、ハンドルロックレバー２９が真横を向き、ハンドル７のロック部材１６との係合が解除される（図２の状態参照）。
【００２４】
次に、ハンドル７の把持部７ｃを掴んでハンドル７を手前上側に引き起こす。この時、ハンドル７の頭部７ａに形成されている係止溝９ａにボール１０が嵌入して、ハンドル７は錠本体１の手前側に水平に突出するように保持される（図２、図５参照）。
【００２５】
次に、図６に示されるように、ハンドル７を右に９０°回動させる。すると、シャフト部材３の小径軸部３ｂが右に９０°回動され、扉ロックレバー１４が上方を向くので扉３１のロックが解除される。
【００２６】
上記操作により、扉３１のロックが解除されるので、ハンドル７を手前に引けば扉３１を開くことができる。
【００２７】
次に、施錠手順を説明する。
【００２８】
施錠手順は、上記開錠手順の逆の操作を行なうものである。ハンドル錠が開錠された状態にあるとして、以下説明する。
【００２９】
先ずハンドル７の把持部７ｃを掴んでハンドル７を左に９０°回動させる。すると、シャフト部材３の小径軸部３ｂが左に９０°回動され、扉ロックレバー１４が真横を向くので扉がロックされる。
【００３０】
次に、ハンドル７を錠本体１側に回動して錠本体１のハンドル収納凹部１７に収納する。この時、ハンドル７の頭部７ａに形成されている係止溝９ｂにボール１０が嵌入して、ハンドル７は錠本体１のハンドル収納凹部１７に収納保持され、ハンドル７のロック部材１６が錠本体１の貫通孔１９を挿通して錠本体１の裏面側に配置される。
【００３１】
次に、キーをシリンダ錠２２のキー孔３０に差し込み、右に９０°回動させる。すると、シリンダ錠２２の回動軸２４が右に９０°回動され、ロックレバー２５が右に９０°回動する。ロックレバー２５が右に９０°回動されると、扉ロックレバー２８は真横を向くので扉がロックされると共に、ハンドルロックレバー２９が回動してハンドル７のロック部材１６に係合する。
【００３２】
上記操作により、扉３１は、ハンドル７側の扉ロックレバー１４と、シリンダ錠２２側の扉ロックレバー２８によってロックされると共に、ハンドル７はハンドルロックレバー２９によって錠本体１のハンドル収納凹部１７に収納された状態でロックされる。
【００３３】
従って、本発明のハンドル錠によれば、ハンドル７側の扉ロックレバー１４と、シリンダ錠２２側の扉ロックレバー２８によって、扉を二重にロックできるので、セキュリティが向上し、安全性を高めることができる。
【００３４】
なお、パッキン３２（図７参照）等で扉の密閉度を高めた場合であっても、本発明のハンドル錠は、施錠時、最初に、ハンドル７によってハンドル７側の扉ロックレバー１４をロック状態にさせるため、施錠時にパッキン３２等によって生じる負荷を、ハンドル７側で吸収できる。従ってこれによれば、シリンダ錠２２に直接負荷がかからない、という利点がある。
【００３５】
【発明の効果】
以上説明したように本発明のハンドル錠は、ハンドル側の扉ロックレバーと、シリンダ錠側の扉ロックレバーによって、扉を二重にロックできるから、これを使用すればセキュリティを向上でき、安全性を高めることができる。
【図面の簡単な説明】
【図１】本発明のハンドル錠の一実施形態を示し、Ａは図４ＡのＩ−Ｉ線断面図、Ｂは斜視図である。
【図２】Ａは図５ＡのII−II線断面図、Ｂは斜視図である。
【図３】ハンドル錠の側面図である。
【図４】Ａはハンドル錠の正面図、Ｂは斜視図である。
【図５】Ａはハンドル錠の正面図、Ｂは斜視図である。
【図６】Ａ及びＢはそれぞれハンドル錠の斜視図である。
【図７】Ａ及びＢはそれぞれハンドル錠が扉に固定されている状態を示す上から見た断面図であり、その内、Ａは扉がロックされている状態、Ｂは扉のロックが解除されている状態を示す。
【符号の説明】
１    錠本体
３    シャフト部材
３ｂ  小径軸部
７    ハンドル
１４  扉ロックレバー
１６  ロック部材
１９  貫通孔
２２  シリンダ錠
２４  回動軸
２８  扉ロックレバー
２９  ハンドルロックレバー
【図１】
0004030033.tif 000002
【図２】
0004030033.tif 000003
【図３】
0004030033.tif 000004
【図４】
0004030033.tif 000005
【図５】
0004030033.tif 000006
【図６】
0004030033.tif 000007
【図７】
0004030033.tif 000008